(57)【要約】  【課題】  ケースの内側空間の省スペース化に有利であり、また、内部配線が収容ケース部内の他の部品に接触して電気的な干渉等を生じたり内部配線から放射された電磁波ノイズが収容ケース部内の他の部品に悪影響を与えることを抑制すること。  【解決手段】  撮像モジュール１は、レンズユニット２が被写体側に装着されているとともに、撮像基板４がレンズユニット２に対向して被写体側と反対側の部位に設置されている前ケース５ａと、前ケース５ａに撮像基板４を覆って取り付けられている後ケース５ｂと、前ケース５ａに、一端部が後ケース５ｂ側に延びるとともに他端部が撮像素子３に電気的に接続されて取り付けられている第１の導電部材６と、後ケース５ｂに、一端部が第１の導電部材６の一端部と嵌め合わされるとともに他端部が後ケース５ｂの外側の外部ケーブル９の接続部８に導出されて取り付けられている第２の導電部材７とを具備する。【選択図】  図１
2010118888.tif 000002
【特許請求の範囲】
【請求項１】
レンズユニットが被写体側に装着されているとともに、撮像素子を搭載した撮像基板が前記レンズユニットに対向して被写体側と反対側の部位に設置されている前ケースと、該前ケースに前記撮像基板を覆って取り付けられている後ケースと、前記前ケースに、一端部が前記後ケース側に延びるとともに他端部が前記撮像素子に電気的に接続されて取り付けられている第１の導電部材と、前記後ケースに、一端部が前記第１の導電部材の前記一端部と嵌め合わされるとともに他端部が前記後ケースの外側の外部ケーブルの接続部に導出されて取り付けられている第２の導電部材とを具備していることを特徴とする撮像モジュール。
【請求項２】
前記第１の導電部材は、前記一端部が前記前ケースから前記後ケース側にピン状に突出しており、前記第２の導電部材は、前記一端部の端面に穴が形成されており、前記第１の導電部材の前記一端部が前記第２の導電部材の前記穴に嵌入されて前記第１および第２の導電部材が電気的に接続されていることを特徴とする請求項１に記載の撮像モジュール。
【請求項３】
前記第１の導電部材は、前記他端部が前記前ケースから前記後ケース側に向かって延びており、前記撮像基板は、前記第１の導電部材の前記他端部に対応する位置に貫通孔が形成されており、前記撮像素子が前記レンズユニットに対して位置決めされた状態で前記第１の導電部材の前記他端部が前記撮像基板の前記貫通孔に挿通されて接続部材によって固定されていることを特徴とする請求項１または請求項２に記載の撮像モジュール。
【請求項４】
前記後ケースは、縦断面形状が凹状であり、前記第２の導電部材は、前記後ケースの側壁部から底部の中心部にかけて埋設されており、前記他端部が前記底部の前記中心部から導出されていることを特徴とする請求項１乃至請求項３のいずれかに記載の撮像モジュール。
【請求項５】
前記後ケースは、前記撮像素子が前記レンズユニットに対して位置決めされた前記撮像基板を内側に収容していることを特徴とする請求項１乃至請求項４のいずれかに記載の撮像モジュール。
【発明の詳細な説明】
【技術分野】
【０００１】
本発明は、ＣＣＤイメージセンサ等の半導体イメージセンサ等から成る撮像素子を用いた撮像モジュールに関するものである。
【背景技術】
【０００２】
例えば、特許文献１には、外部機器に外部ハーネスを介して接続される電気機器であって、内部コネクタを有する内部電気部品と、内部電気部品を収容する収容ケース部とコネクタハウジング部とを有するハウジングと、一端部が内部コネクタを介して内部電気部品に電気的に接続された内部配線と、内部配線の他端部に接続されたコネクタ端子とを有する内部配線部材と、を備え、コネクタ端子がコネクタハウジング部に収容保持されて、外部ハーネス端部に取付けられた外部コネクタを接続可能な外部接続用コネクタ部に形成された電気機器が記載されている。
【０００３】
特許文献１に記載された発明は、このような構成により、１）外部ハーネス側の外部コネクタを外部接続用コネクタ部に接続することで、電気機器が外部機器に接続されるため、外部接続用のハーネスを引出しておく必要が無く、従って、電気機器の取付位置等に応じて複数種類管理する必要が無くなり、品種管理に関する手間の省力化に貢献し得る、２）外部接続用コネクタ部を介して、内部配線が外部ハーネスに変換されることになるため、電装機器外で比較的太径の電線と比較的細径の電線との接続及び防水処理を施す必要が無くなり、従って、製造の容易化及び構成の簡易化を図ることができる、という効果を有する。
【特許文献１】特開2005-310531号公報
【発明の開示】
【発明が解決しようとする課題】
【０００４】
しかしながら、特許文献１に記載された電気機器においては、一端部が内部コネクタを介して内部電気部品に電気的に接続され、他端部がコネクタ端子に接続された内部配線を有しているため、収容ケース部およびハウジングの内側空間が大きくなり易く、省スペース化に不利であるという問題点があった。
【０００５】
また、ハウジングにはコネクタ端子およびコネクタ端子を収容し保持するためのコネクタハウジング部が設けられているために、ハウジングが大型になるとともにハウジングの内側空間が狭くなるという問題点があった。
【０００６】
さらに、内部配線は細径（断面積0.15ｍｍ２）の柔軟なものであるために、収容ケース部内の他の部品に接触して電気的な干渉等の不具合を生じたり、内部配線から放射された電磁波ノイズが収容ケース部内の他の部品に悪影響を与えるという問題点があった。
【０００７】
従って、本発明は、上記従来の問題点に鑑みて完成されたものであり、その目的は、ケースの内側空間が小さくなって省スペース化に有利であり、また、コネクタ端子等を不要としてケースを小型化することができ、また、内部配線が収容ケース部内の他の部品に接触して電気的な干渉等を生じたり内部配線から放射された電磁波ノイズが収容ケース部内の他の部品に悪影響を与えることを抑制することができるようにすることである。
【課題を解決するための手段】
【０００８】
本発明の撮像モジュールは、レンズユニットが被写体側に装着されているとともに、撮像素子を搭載した撮像基板が前記レンズユニットに対向して被写体側と反対側の部位に設置されている前ケースと、該前ケースに前記撮像基板を覆って取り付けられている後ケースと、前記前ケースに、一端部が前記後ケース側に延びるとともに他端部が前記撮像素子に電気的に接続されて取り付けられている第１の導電部材と、前記後ケースに、一端部が前記第１の導電部材の前記一端部と嵌め合わされるとともに他端部が前記後ケースの外側の外部ケーブルの接続部に導出されて取り付けられている第２の導電部材とを具備していることを特徴とするものである。
【０００９】
また、本発明の撮像モジュールは、好ましくは、前記第１の導電部材は、前記一端部が前記前ケースから前記後ケース側にピン状に突出しており、前記第２の導電部材は、前記一端部の端面に穴が形成されており、前記第１の導電部材の前記一端部が前記第２の導電部材の前記穴に嵌入されて前記第１および第２の導電部材が電気的に接続されていることを特徴とするものである。
【００１０】
また、本発明の撮像モジュールは、好ましくは、前記第１の導電部材は、前記他端部が前記前ケースから前記後ケース側に向かって延びており、前記撮像基板は、前記第１の導電部材の前記他端部に対応する位置に貫通孔が形成されており、前記撮像素子が前記レンズユニットに対して位置決めされた状態で前記第１の導電部材の前記他端部が前記撮像基板の前記貫通孔に挿通されて接続部材によって固定されていることを特徴とするものである。
【００１１】
また、本発明の撮像モジュールは、好ましくは、前記後ケースは、縦断面形状が凹状であり、前記第２の導電部材は、前記後ケースの側壁部から底部の中心部にかけて埋設されており、前記他端部が前記底部の前記中心部から導出されていることを特徴とするものである。
【００１２】
また、本発明の撮像モジュールは、好ましくは、前記後ケースは、前記撮像素子が前記レンズユニットに対して位置決めされた前記撮像基板を内側に収容していることを特徴とするものである。
【発明の効果】
【００１３】
本発明の撮像モジュールは、レンズユニットが被写体側に装着されているとともに、撮像素子を搭載した撮像基板がレンズユニットに対向して被写体側と反対側の部位に設置されている前ケースと、前ケースに撮像基板を覆って取り付けられている後ケースと、前ケースに、一端部が後ケース側に延びるとともに他端部が撮像素子に電気的に接続されて取り付けられている第１の導電部材と、後ケースに、一端部が第１の導電部材の一端部と嵌め合わされるとともに他端部が後ケースの外側の外部ケーブルの接続部に導出されて取り付けられている第２の導電部材とを具備していることから、第１の導電部材は前ケースに埋設等されて取り付けられているために、ケースの内側空間が小さくなって省スペース化に有利である。
【００１４】
また、第２の導電部材の一端部が第１の導電部材の一端部と嵌め合わされるために、コネクタ端子等が不要となり、ケースを小型化することができる。
【００１５】
また、第１の導電部材は前ケースに埋設等されて取り付けられているために、第１の導電部材がケース内部の他の部品に接触して電気的な干渉等を生じたり、第１の導電部材から放射された電磁波ノイズがケース内部の他の部品に悪影響を与えることを抑制することができる。
【００１６】
また、本発明の撮像モジュールは、好ましくは、第１の導電部材は、一端部が前ケースから後ケース側にピン状に突出しており、第２の導電部材は、一端部の端面に穴が形成されており、第１の導電部材の一端部が第２の導電部材の穴に嵌入されて第１および第２の導電部材が電気的に接続されていることから、第１および第２の導電部材を嵌め合わせることによって、電気的な接続と、前ケースおよび後ケースの機械的な取り付けを同時に行なうことができる。従って、製造の容易な小型の撮像モジュールとなる。
【００１７】
また、本発明の撮像モジュールは、好ましくは、第１の導電部材は、他端部が前ケースから後ケース側に向かって延びており、撮像基板は、第１の導電部材の他端部に対応する位置に貫通孔が形成されており、撮像素子がレンズユニットに対して位置決めされた状態で第１の導電部材の他端部が撮像基板の貫通孔に挿通されて接続部材によって固定されていることから、第１の導電部材が撮像素子とレンズユニットとの光学的な位置決めを行なうための位置決め部材としても機能するものとすることができる。
【００１８】
また、本発明の撮像モジュールは、好ましくは、後ケースは、縦断面形状が凹状であり、第２の導電部材は、後ケースの側壁部から底部の中心部にかけて埋設されており、他端部が底部の中心部から導出されていることから、後ケースの底部の中心部に集約されて位置する第２の導電部材の他端部に外部ケーブルを電気的に接続することが容易になる。また、複数の第２の導電部材を用いる場合、それぞれの第２の導電部材の長さが同じになるため、複数の電気信号を均一な強度（レベル）で伝送させることができる。
【００１９】
また、本発明の撮像モジュールは、好ましくは、後ケースは、撮像素子がレンズユニットに対して位置決めされた撮像基板を内側に収容していることから、位置決めされた撮像基板を後ケースによって保護するとともに、前ケースおよび後ケースから成るケースを小型化することができる。また、ケースの内側空間は後ケースの内側のみとなり、ケースの内側空間を小さくすることができる。
【発明を実施するための最良の形態】
【００２０】
以下に本発明の撮像モジュールの実施の形態について図面を参照しつつ詳細に説明する。
【００２１】
図１〜図３は、本発明の撮像モジュールの実施の形態の一例を示し、図１は本実施の形態の撮像モジュールの断面図、図２は本実施の形態の撮像モジュールの分解断面図、図３（ａ）は本実施の形態の撮像モジュールの側面図、図３（ｂ）は本実施の形態の撮像モジュールの斜視図である。
【００２２】
本実施の形態の撮像モジュール１は、レンズユニット２が被写体側（図１では符号Ａの側）に装着されているとともに、撮像素子３を搭載した撮像基板４がレンズユニット２に対向して被写体側と反対側（図１では符号Ｂの側）の部位に設置されている前ケース５ａと、前ケース５ａに撮像基板４を覆って取り付けられている後ケース５ｂと、前ケース５ａに、一端部が後ケース５ｂ側に延びるとともに他端部が撮像素子３に電気的に接続されて取り付けられている第１の導電部材６と、後ケース５ｂに、一端部が第１の導電部材６の一端部と嵌め合わされるとともに他端部が後ケース５ｂの外側の外部ケーブル９の接続部８に導出されて取り付けられている第２の導電部材７とを具備している。
【００２３】
上記の構成により、第１の導電部材６は前ケース５ａに埋設等されて取り付けられているために、ケース５の内側空間が小さくなって省スペース化に有利である。
【００２４】
また、第２の導電部材７の一端部が第１の導電部材６の一端部と嵌め合わされるために、コネクタ端子等が不要となり、ケース５を小型化することができる。
【００２５】
また、第１の導電部材６は前ケース５ａに埋設等されて取り付けられているために、第１の導電部材６がケース５内部の他の部品に接触して電気的な干渉等を生じたり、第１の導電部材６から放射された電磁波ノイズがケース５内部の他の部品に悪影響を与えることを抑制することができる。
【００２６】
このような撮像モジュール１は、例えば車載用として用いられるものであり、道路上の白線の撮像あるいは車両を運転する運転手の死角を撮像する機能を有し、自動車の走行の制御を行なうＥＣＵ（エレクトロニック・コントロール・ユニット）により動作が制御される。なお、撮像モジュール１から出力された電気信号は、ＥＣＵによって画像信号に変換され、例えば運転席の前方に設置されたディスプレイに表示されることとなる。
【００２７】
撮像素子３は、ＣＣＤイメージセンサやＣＭＯＳイメージセンサ等の半導体イメージセンサ素子である。
【００２８】
レンズユニット２は、被写体からの光を撮像素子３に集光する機能を有し、例えば、光を広角度で集光するために前面側を凸形状とした第１のレンズと、第１のレンズを通過した光を光線として平行に近づけるための第２のレンズと、第３のレンズとから成るレンズ群により構成されている。レンズユニット２が上述の３枚のレンズからなる場合は、例えば、前面側（被写体側）から第１のレンズ、第２のレンズ、第３のレンズの順で光軸方向に重なるように配置される。なお、レンズユニット２は、４枚以上のレンズを有していてもよい。
【００２９】
ケース５は、前面側に位置するレンズユニット２を装着し支持する。ケース５は、前ケース５ａと後ケース５ｂとに分割され、それらが一体的に取り付けられて構成される。前ケース５ａは、例えば、前面側に配置されてレンズユニット２の第１のレンズを背面側（被写体側と反対側）へ押える押え部材としての環状のリテーナと、リテーナの背面側に配置されるレンズ保持具としての全体的に筒状のレンズ鏡筒とから構成されている。前ケース５ａのレンズ鏡筒に第２のレンズおよび第３のレンズが固定され、第１のレンズはリテーナによりレンズ鏡筒に押さえ付けるようにして固定されている。
【００３０】
これらリテーナおよびレンズ鏡筒は、例えば次に述べる方法により作製される。
【００３１】
レンズ鏡筒は、レンズ鏡筒の形状に合わせて設けられているキャビティを有する射出成形用の金型を準備して、このキャビティ内にレンズ鏡筒用の原材料を流し込んで固化させて成形することにより所定の形状に形成する射出成形法を用いて作製することができる。また同様に、リテーナは、リテーナの形状に合わせた形状に形成されているキャビティを有する射出成形用の金型を準備して、このキャビティ内にリテーナ用の原材料を流し込んで固化させて成形することにより所定の形状に形成して作製することができる。このようなリテーナおよびレンズ鏡筒は、例えばポリカーボネイト（ＰＣ）やポリフタルアミド（ＰＰＡ）等の絶縁性の樹脂により構成されて軽量化が図られている。なお通常は、リテーナおよびレンズ鏡筒の熱膨張・熱収縮を合わせるために、両者に同一の材料を用いることが好ましい。
【００３２】
また、撮像モジュール１の背面側には撮像基板４が取り付けられている。撮像基板４の前面側の主面に、セラミックス，樹脂等から成るパッケージに収納された撮像素子３が設置されている。
【００３３】
撮像素子３のケース５への取付けは、撮像素子３を撮像基板４の前面側の主面に搭載し、その撮像基板４を前ケース５ａに取り付ける。以下に詳細を示す。
【００３４】
まず、撮像素子３が搭載された撮像基板４を準備し、次に、前ケース５ａから後ケース５ｂ側に延びている第１の導電部材６の一端部を、撮像基板４の貫通孔（図示せず）を挿通させる。次に、貫通孔から突き出た第１の導電部材６の一端部をはんだを介して撮像基板４に接合し固定する。
【００３５】
なお、はんだによる固定をより堅固にするために、予め撮像基板４の貫通孔の内側と第１の導電部材６の一端部の側面とに、金属を主成分としたメッキ膜を形成しておくことが好ましい。
【００３６】
撮像基板４は、例えばガラスクロスにエポキシ樹脂を含浸させて形成した、あるいはエポキシ樹脂にガラスフィラーを添加して形成したプリント配線基板により構成されている。撮像基板４の表面や内部には、搭載される撮像素子３と異なる他の部品等の端子との電気的接続あるいはこれらを固定する配線導体やアース用のグランド配線が形成されている。このような配線導体やグランド配線は、銅・金等の導電性金属をメッキ法により形成する方法、あるいは予め配線パターン形状に形成した金属箔を接着する方法、あるいは全面に金属箔を被着した基板からエッチングにより不要な部分をエッチング除去して形成する方法等を用いることにより、プリント配線基板の表面や内部に形成される。
【００３７】
このような撮像基板４は、例えば市販の表裏全面に銅箔を被着した銅貼基板を準備し、この基板を所望の大きさに切断するとともに、表面に被着した銅箔を希塩酸等の酸性溶液で所望の配線パターンにエッチングすることにより製作される。なお、必要に応じてレーザやドリルを用いて貫通孔を形成し、この貫通孔に金属ペーストを充填することによって貫通導体を埋設して、基板表裏の配線パターン間を電気的に接続することも可能である。
【００３８】
撮像基板４の背面側の主面には、撮像素子３からの電気信号を処理するＩＣ（図示せず）、および撮像基板４の配線導体とＥＣＵとを電気的に接続するケーブル（図示せず）を接続するためのコネクタ（図示せず）等の部品が搭載されていてもよい。
【００３９】
また、第１の導電部材６は、レンズ鏡筒を射出成形法等によって作製する際に、金型のキャビティの所定の位置に第１の導電部材６を配置した状態で射出成形すること等によって、前ケース５ａに取り付けられる。図１の構成においては、第１の導電部材６の中間部が前ケース５ａに埋設されているが、第１の導電部材６の中間部が前ケース５ａの表面に接着されていてもよく、あるいは第１の導電部材６の中間部が前ケース５ａの内側表面に形成された溝に嵌めこまれていてもよい。
【００４０】
なお、第１の導電部材６の中間部が前ケース５ａに埋設されていると、第１の導電部材６の前ケース５ａに対する位置固定の安定性が高まり、また、第１の導電部材６がケース５内部の他の部品に接触して電気的な干渉等を生じたり、第１の導電部材６から放射された電磁波ノイズがケース５内部の他の部品に悪影響を与えることを、より抑制することができる。
【００４１】
また、図１の構成においては、第１の導電部材６は、前ケース５ａの背面側の端面において一端部および他端部が後ケース５ｂ側に延びるように取り付けられているが、一端部および他端部がある部位はこれに限定されない。例えば、前ケース５ａのレンズ鏡筒にレンズユニット２を装着するための、底部に貫通孔が形成された凹部が形成されている場合、その凹部の側面または底面等に、第１の導電部材６の一端部および他端部があってもよい。
【００４２】
また、第１の導電部材６は、直径が0.4〜1.5ｍｍ程度の略棒状のものを、所望の形状に成形して作製されたものである。図１の構成において、第１の導電部材６は、Ｕ字状、コ字状等の折れ曲がった形状に成形されている。第１の導電部材６は、製造作業中に人手や他の部品に接触しても容易に折れ曲がったり変形することのない硬質なものがよい。この場合、撮像基板４が固定される第１の導電部材６の他端部が、レンズユニット２と撮像素子３との位置決め部として有効に機能する。従って、第１の導電部材６は、洋白（「洋銀」または「ニッケルシルバー」ともいう）等の材料から成ることがよい。なお、洋白は、例えば、銅を62重量％、ニッケルを14重量％、亜鉛を24重量％含む合金である。
【００４３】
また、第１の導電部材６は、撮像基板４を安定に固定するという観点から３本以上とすることが好ましい。例えば、本例の撮像モジュール１においては、図には示していないが、四角形状の撮像基板４を用いており、これに対して第１の導電部材６を４本用いるとともに、撮像基板４の４隅付近にそれぞれ第１の導電部材６を取り付けている。撮像基板４には、この第１の導電部材６を貫通させることが可能な貫通孔が対応した箇所に設けられており、本例では、撮像基板４の４隅にそれぞれ貫通孔が設けられている。
【００４４】
後ケース５ｂは、前ケース５ａと同様に射出成形法を用いて作製することができる。即ち、後ケース５ｂの形状に合わせて設けられているキャビティを有する射出成形用の金型を準備して、このキャビティ内に後ケース５ｂ用の原材料を流し込んで固化させて成形することにより所定の形状に形成する。
【００４５】
後ケース５ｂには、一端部が第１の導電部材６の一端部と嵌め合わされるとともに他端部が後ケース５ｂの外側の外部ケーブル９の接続部８に導出されている第２の導電部材７が取り付けられている。第２の導電部材７は、後ケース５ｂを射出成形法等によって作製する際に、金型のキャビティの所定の位置に第２の導電部材７を配置した状態で射出成形すること等によって、後ケース５ｂに取り付けられる。図１の構成においては、第２の導電部材７の全体が後ケース５ｂに埋設されているが、第２の導電部材７が後ケース５ｂの表面に接着されていてもよく、あるいは第２の導電部材７が後ケース５ｂの内側表面に形成された溝に嵌めこまれていてもよい。
【００４６】
なお、第２の導電部材７の全体が後ケース５ｂに埋設されていると、第２の導電部材７の後ケース５ｂに対する位置固定の安定性が高まり、また、第２の導電部材７がケース５内部の他の部品に接触して電気的な干渉等を生じたり、第２の導電部材７から放射された電磁波ノイズがケース５内部の他の部品に悪影響を与えることを、より抑制することができる。
【００４７】
また、第２の導電部材７は、直径が１ｍｍ〜２ｍｍ程度の略棒状のものを所望の形状に成形して作製されたものである。図１の構成において、第２の導電部材７は、Ｌ字状等の折れ曲がった形状に成形されている。第２の導電部材７は、製造作業中に人手や他の部品に接触しても容易に折れ曲がったり変形することのない硬質なものがよい。この場合、第２の導電部材７の一端部が第１の導電部材６の一端部と嵌め合わされる際に、嵌合力を維持することができる。従って、第２の導電部材7は、リン青銅等の材料から成ることがよい。
【００４８】
後ケース５ｂの外側には、第２の導電部材７の他端部が導出されている外部ケーブル９の接続部８が設けられている。接続部８は、外部ケーブル９の接続端が嵌め込まれるような凹状を成しており、その凹状部の底面から第２の導電部材７の他端部が突出している。突出した第２の導電部材７の他端部が外部ケーブル９の接続端に電気的に接続される。外部ケーブル９は金属線等から成る導線の芯線を樹脂等の絶縁体から成る被覆で覆った構成等を有するものである。
【００４９】
外部ケーブル９の接続部８は、図１の構成において、後ケース５ｂの背面側（後側）に設けられているが、後ケース５ｂの側面に設けられていてもよい。
【００５０】
また、本実施の形態の撮像モジュール１は、第１の導電部材６は、一端部が前ケース５ａから後ケース５ｂ側にピン状に突出しており、第２の導電部材７は、一端部の端面に穴７ａが形成されており、第１の導電部材６の一端部が第２の導電部材７の穴７ａに嵌入されて第１および第２の導電部材６，７が電気的に接続されていることが好ましい。
【００５１】
このような構成により、第１および第２の導電部材６，７を嵌め合わせることによって、電気的な接続と、前ケース５ａおよび後ケース５ｂの機械的な取り付けを同時に行なうことができる。従って、製造の容易な小型の撮像モジュール１となる。
【００５２】
第１の導電部材６は、一端部の先端が尖っていたり、半球状になっていてもよい。その場合、第１の導電部材６の一端部を第２の導電部材７の穴７ａに嵌入させることが容易となる。
【００５３】
また、第２の導電部材７の穴７ａに予め銀粒子含有樹脂等から成る導電性接着剤等の導電性接続材を入れておき、電気的接続と機械的接着を同時に行なえるようにしてもよい。
【００５４】
穴７ａは、第１の導電部材６の一端部が嵌入し得るような横断面形状を有していればよく、円形、楕円形、多角形等の種々の形状であってもよい。同様に、第１の導電部材６の一端部の横断面形状も、穴７ａに嵌入し得る形状であればよく、円形、楕円形、多角形等の種々の形状であってもよい。
【００５５】
また、第２の導電部材７の一端部が後ケース５ｂから前ケース５ａ側にピン状に突出しており、第１の導電部材６の一端部の端面に穴が形成されており、第２の導電部材７の一端部が第１の導電部材６の穴に嵌入されるようになされていてもよい。
【００５６】
また、穴７ａは、長手方向に延びるように形成されたスリット状の隙間を１つ以上有していてもよい。この場合、第１の導電部材６の一端部を穴７ａに嵌入する際に、穴７ａが弾性的に拡がって嵌入され易くなる。
【００５７】
第１の導電部材６の一端部と第２の導電部材７の一端部とを嵌め合わせる形態は、第１の導電部材６の一端部を穴７ａに嵌入させる形態に限らない。例えば、第１の導電部材６の一端部のピン状の突出部を長手方向に沿って半分を除去し、その除去部に穴を形成した形状とし、同様にして第２の導電部材７の一端部のピン状の突出部を長手方向に沿って半分を除去し、その除去部に穴を形成した形状とし、第１の導電部材６の一端部のピン状の突出部が第２の導電部材７の穴に嵌入され、第２の導電部材７の一端部のピン状の突出部が第１の導電部材６の穴に嵌入される形態としてもよい。即ち、第１の導電部材６の一端部および第２の導電部材７の一端部の両方に、ピン状の突出部および穴が形成されており、それらが互い違いに嵌入される形態である。
【００５８】
また、本実施の形態の撮像モジュール１は、第１の導電部材６は、他端部が前ケース５ａから後ケース５ｂ側に向かって延びており、撮像基板４は、第１の導電部材６の他端部に対応する位置に貫通孔が形成されており、撮像素子３がレンズユニット２に対して位置決めされた状態で第１の導電部材６の他端部が撮像基板４の貫通孔に挿通されて接続部材によって固定されていることが好ましい。
【００５９】
上記の構成により、第１の導電部材６が撮像素子３とレンズユニット２との光学的な位置決めを行なうための位置決め部材としても機能するものとすることができる。
【００６０】
この場合、第１の導電部材６の他端部はレンズユニット２の光軸方向に沿って後ケース５ｂ側に向かって延びていることが好ましい。そうすると、第１の導電部材６が撮像素子３とレンズユニット２との光学的な位置決めを行なうための位置決め部材としてより有効にかつ正確に機能する。
【００６１】
また、第１の導電部材６の他端部の表面に、撮像基板４のレンズユニット２に対する位置を測定し調整するための目盛を付けてもよい。
【００６２】
また、本実施の形態の撮像モジュール１は、後ケース５ｂは、縦断面形状が凹状であり、第２の導電部材７は、後ケース５ｂの側壁部から底部の中心部にかけて埋設されており、他端部が底部の中心部から導出されていることが好ましい。
【００６３】
上記の構成により、後ケース５ｂの底部の中心部に集約されて位置する第２の導電部材７の他端部に外部ケーブル９を電気的に接続することが容易になる。また、複数の第２の導電部材７を用いる場合、それぞれの第２の導電部材７の長さが同じになるため、複数の電気信号を均一な強度（レベル）で伝送させることができる。
【００６４】
また、本実施の形態の撮像モジュール１は、後ケース５ｂは、撮像素子３がレンズユニット２に対して位置決めされた撮像基板４を内側に収容していることが好ましい。
【００６５】
上記の構成により、位置決めされた撮像基板４を後ケース５ｂによって保護するとともに、前ケース５ａおよび後ケース５ｂから成るケース５を小型化することができる。また、ケース５の内側空間は後ケース５ｂの内側のみとなり、ケース５の内側空間を小さくすることができる。
【００６６】
なお、本発明は、上記実施の形態に限定されるものではなく、本発明の要旨を逸脱しない範囲内で種々の変更を加えても何等差し支えない。
【図面の簡単な説明】
【００６７】
【図１】本実施の形態の撮像モジュールの一例を示す断面図である。
【図２】本実施の形態の撮像モジュールの一例を示す分解断面図である。
【図３】（ａ）は本実施の形態の撮像モジュールの一例を示す側面図、（ｂ）は本実施の形態の撮像モジュールの一例を示す斜視図である。
【符号の説明】
【００６８】
１：撮像モジュール
２：レンズユニット
３：撮像素子
４：撮像基板
５：ケース
５ａ：前ケース
５ｂ：後ケース
６：第１の導電部材
７：第２の導電部材
７ａ：穴
８：接続部
９：外部ケーブル
【図１】
2010118888.tif 000003
【図２】
2010118888.tif 000004
【図３】
2010118888.tif 000005